(57)【要約】【課題】冷媒容器をガス冷媒で充足させるための構成を比較的コンパクトなものとし、液冷媒の加熱効率を向上させること。【解決手段】冷媒供給装置は、冷媒容器１の中の液冷媒を圧送ポンプ２により圧送し、供給配管３を通じて製品５に供給する。圧送ポンプ２の下流側には、供給配管３から分岐して冷媒容器１に通じる帰還配管９が設けられる。帰還配管９を流れる液冷媒は、冷媒加熱装置１０に含まれるヒータにより加熱されて気化し、その気化したガス冷媒は、同装置１０に含まれる減圧弁により減圧される。供給配管３に設けられるヘッター８には、その中の冷媒圧力を計測する圧力計１１が設けられる。冷媒容器１には、その温度を検出する温度センサ１２が設けられる。制御盤１３は、検出される冷媒圧力及び容器温度に基づきヒータ１５を制御する。【選択図】        図１
2005337510.tif 000002
【特許請求の範囲】
【請求項１】
冷媒容器の中の液冷媒を圧送ポンプにより圧送し供給配管を通じて消費設備に供給する冷媒供給装置において、
前記圧送ポンプの下流側にて前記供給配管から分岐して前記冷媒容器に通じる帰還配管と、
前記帰還配管を流れる液冷媒を加熱するための加熱手段と、
前記加熱手段の下流側にて前記帰還配管に設けられる減圧弁と
を備えたことを特徴とする冷媒供給装置。
【請求項２】
冷媒容器の中の液冷媒を圧送ポンプにより圧送し供給配管を通じて消費設備に供給する冷媒供給装置において、
前記圧送ポンプの下流側にて前記供給配管から分岐して前記冷媒容器に通じる帰還配管と、
前記帰還配管を流れる液冷媒を加熱するための加熱手段と、
前記加熱手段の下流側にて前記帰還配管に設けられる減圧弁と、
前記圧送ポンプの上流側にて前記供給配管の中の冷媒圧力を検出するための圧力検出手段と、
前記検出される冷媒圧力に基づき前記加熱手段を制御するための制御手段と
を備えたことを特徴とする冷媒供給装置。
【請求項３】
前記制御手段は、前記検出される冷媒圧力が所定の設定圧力以下となったときに前記加熱手段を動作させることを特徴とする請求項２に記載の冷媒供給装置。
【請求項４】
冷媒容器の中の液冷媒を圧送ポンプにより圧送し供給配管を通じて消費設備に供給する冷媒供給装置において、
前記圧送ポンプの下流側にて前記供給配管から分岐して前記冷媒容器に通じる帰還配管と、
前記帰還配管を流れる液冷媒を加熱するための加熱手段と、
前記加熱手段の下流側にて前記帰還配管に設けられる減圧弁と、
前記圧送ポンプの上流側にて前記供給配管の中の冷媒圧力を検出するための圧力検出手段と、
前記冷媒容器の温度を検出するための温度検出手段と、
前記検出される冷媒圧力及び前記検出される温度に基づき前記加熱手段を制御するための制御手段と
を備えたことを特徴とする冷媒供給装置。
【請求項５】
前記制御手段は、前記検出される冷媒圧力が所定の設定圧力以下となったときに前記加熱手段を動作させ、前記検出される温度が所定の設定温度以上となったときに前記加熱手段の動作を停止させることを特徴とする請求項４に記載の冷媒供給装置。
【発明の詳細な説明】
【技術分野】
【０００１】
この発明は、エアコンなどの冷却機器に冷媒を充填するために使用される冷媒供給装置に関する。
【背景技術】
【０００２】
従来、エアコンなどの冷却機器に充填される冷媒を収容した冷媒容器の中は、冷媒が液層と気層と分かれている。この液層と気層の状態は、周囲の温度による飽和蒸気圧で釣り合っている。ここで、冷媒容器の中の冷媒を冷却機器に充填するには、冷媒容器から冷媒を汲み上げる。このとき、図６（ａ），（ｂ）に示すように、冷媒容器３１では、その周囲から熱を吸収して液冷媒が冷媒容器３１の中で気化する。すなわち、液冷媒（液層）のレベルは、液冷媒の汲み上げによって下がり、ガス冷媒（気層）の容積が増える。この気層の容積が増えた分だけ液冷媒が周囲より熱を得て新たに気化して充足することになる。換言すれば、周囲より熱を吸収できなければ液冷媒の汲み上げができなくなる。従って、冬場などの気温が低いときには、夏場などの気温が高いときに比べ、冷媒容器３１からの冷媒の汲み上げに時間がかかることになる。
【０００３】
そこで、従来は、図７に示すように、冷媒容器３１を電気式のヒータ３２で加熱することが行われていた。また、図８に示すように、冷媒容器３１に給水設備３３により井戸水などの温水を供給し、その温水により冷媒容器３１を加熱することが行われていた。
【０００４】
あるいは、下記の特許文献１には、エアコンなどの冷媒回路に充填される冷媒を利用して冷媒ボンベを加熱するようにした冷媒充填装置が記載される。この装置は、冷媒ボンベに熱伝導性を有する配管からなる加熱器を設け、冷媒回路内に設けられる圧縮機から吐出される高温の冷媒ガスを、チャージホースを介して加熱器内に流通させることにより、冷媒ボンベを加熱するようになっている。
【０００５】
【特許文献１】特開２０００−３４６５０３号公報（第２−４頁、図１−３）
【発明の開示】
【発明が解決しようとする課題】
【０００６】
ところが、上記した図７に示す従来技術では、冷媒容器３１の外周にヒータ３２を取り付けて加熱するため、設備が大掛かりとなり、液冷媒の加熱効率もよくなかった。また、冷媒容器３１が交換式の場合には、ヒータ３２があることで交換作業が面倒なものになった。
【０００７】
また、上記した図８に示す従来技術では、冷媒容器３１に温水を放水する大掛かりな給水設備３３が必要になり、液冷媒の加熱効率もよくなかった。また、冷媒容器３１に金属を使用した場合に、水による金属の劣化などが問題になった。
【０００８】
一方、上記した特許文献１に記載の冷媒充填装置では、冷媒ボンベに加熱器を設けなければならず、これもまた設備が大掛かりとなり、液冷媒の加熱効率もよくなかった。また、この場合も冷媒ボンベが交換式の場合には、加熱器があることで、交換作業が面倒なものになった。
【０００９】
この発明は上記事情に鑑みてなされたものであって、その目的は、冷媒容器の中をガス冷媒で充足させるための構成を比較的コンパクトなものとし、液冷媒の加熱効率を向上させることを可能とした冷媒供給装置を提供することにある。
【課題を解決するための手段】
【００１０】
上記目的を達成するために、請求項１に記載の発明は、冷媒容器の中の液冷媒を圧送ポンプにより圧送し供給配管を通じて消費設備に供給する冷媒供給装置において、圧送ポンプの下流側にて供給配管から分岐して冷媒容器に通じる帰還配管と、帰還配管を流れる液冷媒を加熱するための加熱手段と、加熱手段の下流側にて帰還配管に設けられる減圧弁とを備えたことを趣旨とする。
【００１１】
上記発明の構成によれば、圧送ポンプが動作することにより、冷媒容器の中の液冷媒が汲み上げられて圧送され、供給配管を通じて消費設備に供給される。ここで、圧送ポンプの下流側では、供給配管を流れる液冷媒の一部が帰還配管に流れて冷媒容器へ戻される。このとき、加熱手段を動作させることにより、帰還配管を流れる液冷媒が加熱されて気化する。また、加熱手段の下流側では、気化したガス冷媒が減圧弁により減圧される。従って、冷媒容器には、減圧されたガス冷媒が戻され、汲み上げにより液冷媒の容積が減った分だけ冷媒容器の中がガス冷媒により充足される。また、冷媒容器をガス冷媒で充足させるために、帰還配管に加熱手段と減圧弁が設けられるので、冷媒容器を加熱する場合に比べて構成が簡略化される。更に、簡略化される分だけ、加熱損失が少なくなる。
【００１２】
上記目的を達成するために、請求項２に記載の発明は、冷媒容器の中の液冷媒を圧送ポンプにより圧送し供給配管を通じて消費設備に供給する冷媒供給装置において、圧送ポンプの下流側にて供給配管から分岐して冷媒容器に通じる帰還配管と、帰還配管を流れる液冷媒を加熱するための加熱手段と、加熱手段の下流側にて帰還配管に設けられる減圧弁と、圧送ポンプの上流側にて供給配管の中の冷媒圧力を検出するための圧力検出手段と、検出される冷媒圧力に基づき加熱手段を制御するための制御手段とを備えたことを趣旨とする。
【００１３】
上記発明の構成によれば、圧送ポンプが動作することにより、冷媒容器の中の液冷媒が汲み上げられて圧送され、供給配管を通じて消費設備に供給される。ここで、圧送ポンプの下流側では、供給配管を流れる液冷媒の一部が帰還配管に流れて冷媒容器へ戻される。また、圧送ポンプの上流側では、供給配管の中の冷媒圧力が圧力検出手段により検出される。このとき、検出される冷媒圧力に基づき制御手段が加熱手段を動作させることにより、帰還配管を流れる液冷媒が加熱されて気化する。また、加熱手段の下流側では、気化したガス冷媒が減圧弁により減圧される。従って、冷媒容器には、減圧されたガス冷媒が戻され、汲み上げにより液冷媒の容積が減った分だけ冷媒容器の中がガス冷媒により充足される。また、冷媒容器をガス冷媒で充足させるために、帰還配管に加熱手段と減圧弁が設けられるので、冷媒容器を加熱する場合に比べて構成が簡略化される。更に、簡略化される分だけ、加熱損失が少なくなる。
【００１４】
上記目的を達成するために、請求項３に記載の発明は、請求項２に記載の発明において、制御手段は、検出される冷媒圧力が所定の設定圧力以下となったときに加熱手段を動作させることを趣旨とする。
【００１５】
上記発明の構成によれば、請求項２に記載の発明の作用に加え、冷媒容器の中がガス冷媒により充足されなくなると、圧力検出手段により検出される冷媒圧力が低下する。そして、この冷媒圧力が設定圧力以下になると、制御手段が加熱手段を動作させる。これにより、帰還配管を流れる液冷媒が加熱されて気化し、気化したガス冷媒が減圧弁により減圧される。
【００１６】
上記目的を達成するために、請求項４に記載の発明は、冷媒容器の中の液冷媒を圧送ポンプにより圧送し供給配管を通じて消費設備に供給する冷媒供給装置において、圧送ポンプの下流側にて供給配管から分岐して冷媒容器に通じる帰還配管と、帰還配管を流れる液冷媒を加熱するための加熱手段と、加熱手段の下流側にて帰還配管に設けられる減圧弁と、圧送ポンプの上流側にて供給配管の中の冷媒圧力を検出するための圧力検出手段と、冷媒容器の温度を検出するための温度検出手段と、検出される冷媒圧力及び検出される温度に基づき加熱手段を制御するための制御手段とを備えたことを趣旨とする。
【００１７】
上記発明の構成によれば、圧送ポンプが動作することにより、冷媒容器の中の液冷媒が汲み上げられて圧送され、供給配管を通じて消費設備に供給される。ここで、圧送ポンプの下流側では、供給配管を流れる液冷媒の一部が帰還配管に流れて冷媒容器へ戻される。また、圧送ポンプの上流側では、供給配管の中の冷媒圧力が圧力検出手段により検出され、冷媒容器の温度が温度検出手段により検出される。このとき、検出される冷媒圧力に基づき制御手段が加熱手段を動作させることにより、帰還配管を流れる液冷媒が加熱されて気化する。また、加熱手段の下流側では、気化したガス冷媒が減圧弁により減圧される。従って、冷媒容器には、減圧されたガス冷媒が戻され、汲み上げにより液冷媒の容積が減った分だけ冷媒容器の中がガス冷媒により充足される。一方、検出される冷媒容器の温度に基づき制御手段が加熱手段の動作を停止させることにより、帰還配管を流れる液冷媒の加熱が停止し、少量の液冷媒がそのまま冷媒容器に戻される。従って、冷媒容器の中のガス冷媒が必要以上に増えることがない。また、冷媒容器をガス冷媒で充足させるために、帰還配管に加熱手段と減圧弁が設けられるので、冷媒容器を加熱する場合に比べて構成が簡略化される。更に、簡略化される分だけ、加熱損失が少なくなる。
【００１８】
上記目的を達成するために、請求項５に記載の発明は、請求項４に記載の発明において、制御手段は、検出される冷媒圧力が所定の設定圧力以下となったときに加熱手段を動作させ、検出される温度が所定の設定温度以上となったときに加熱手段の動作を停止させることを趣旨とする。
【００１９】
上記発明の構成によれば、請求項４に記載の発明の作用に加え、冷媒容器の中がガス冷媒により充足されなくなると、圧力検出手段により検出される冷媒圧力が低下する。そして、この冷媒圧力が設定圧力以下になると、制御手段が加熱手段を動作させる。これにより、帰還配管を流れる液冷媒が加熱されて気化し、気化したガス冷媒が減圧弁により減圧されて冷媒容器に戻される。一方、冷媒容器の温度が設定温度以上になると、制御手段が加熱手段の動作を停止させる。これにより、帰還配管を流れる液冷媒の加熱が停止し、液冷媒がそのまま冷媒容器に戻される。
【発明の効果】
【００２０】
請求項１に記載の発明によれば、冷媒容器の中をガス冷媒で充足させるための構成を比較的コンパクトなものとすることができ、液冷媒の加熱効率を向上させることができる。そして、戻し冷媒を加熱することによって冷媒容器内のガス圧を上げ、冬場などの気温が低いときでも冷媒の汲み上げが早くできる。
【００２１】
請求項２に記載の発明によれば、冷媒容器の中をガス冷媒で充足させるための構成を比較的コンパクトなものとすることができ、液冷媒の加熱効率を向上させることができる。また、必要性に応じてガス冷媒を確実に冷媒容器へ供給することができ、消費設備に対する液冷媒の供給動作を保障することができる。
【００２２】
請求項３に記載の発明によれば、請求項２に記載の発明の効果に加え、圧力検出手段により検出される冷媒圧力が所定の設定圧力以下となったときに、ガス冷媒を確実に冷媒容器へ供給することができ、消費設備に対する液冷媒の供給動作を保障することができる。
【００２３】
請求項４に記載の発明によれば、冷媒容器の中をガス冷媒で充足させるための構成を比較的コンパクトなものとすることができ、液冷媒の加熱効率を向上させることができる。また、必要性に応じてガス冷媒を確実に冷媒容器へ供給することができ、消費設備に対する液冷媒の供給動作を保障することができ、冷媒容器の中の圧力が過剰に上昇することを防止することができ、加熱手段を無駄なく動作させることができる。
【００２４】
請求項５に記載の発明によれば、請求項４に記載の発明の効果に加え、検出される冷媒圧力が所定の設定圧力以下となったときにガス冷媒を確実に冷媒容器へ供給することができ、消費設備に対する液冷媒の供給動作を保障することができる。また、検出される温度が所定の設定温度以上となったときに冷媒容器に対するガス冷媒の供給を確実に停止することができ、冷媒容器の中の過剰な圧力上昇を抑えることができる。
【発明を実施するための最良の形態】
【００２５】
以下、本発明の冷媒供給装置を具体化した一実施形態につき図面を参照して詳細に説明する。
【００２６】
図１にこの実施形態における冷媒供給装置の概略構成図を示す。この冷媒供給装置は、冷媒容器１の中の液冷媒を圧送ポンプ２により圧送し、供給配管３及び計量・注入機４を通じて消費設備である製品（エアコン）５に供給し、充填するものである。冷媒供給装置は、圧送ポンプ２の下流側にて供給配管３の中の液冷媒の圧力（吐出圧力）を計測するための第１圧力計６を備える。第１圧力計６により計測される吐出圧力は、制御信号として圧送ポンプ２へ送られる。この実施形態では、第１圧力計６で計測される吐出圧力が所定の設定圧力より低下すると、その低下を示す制御信号が圧送ポンプ２へ送られる。圧送ポンプ２は、その制御信号を受けて自動的に動作するようになっている。これにより、圧送ポンプ２により圧送されて製品５に供給される液冷媒の圧力が一定に保たれる。
【００２７】
冷媒容器１と圧送ポンプ２との間の供給配管３には、第１開閉弁７とヘッター８が設けられる。第１開閉弁７は、供給配管３における液冷媒の流れを必要に応じて遮断するために使用される。ヘッター８は、所定の容積を有し、冷媒容器１から汲み上げられる液冷媒を一旦集めてその流れを安定化させてから圧送ポンプ２に吸入させるようになっている。
【００２８】
冷媒供給装置は、圧送ポンプ２の下流側にて供給配管３から分岐して冷媒容器１に通じる帰還配管９と、帰還配管９を流れる液冷媒を加熱するための冷媒加熱装置１０と、圧送ポンプ２の上流側にて供給配管３、すなわちヘッター８の中の液冷媒の圧力（ヘッター圧力）を検出するための本発明の圧力検出手段としての第２圧力計１１と、冷媒容器１の温度（容器温度）を検出するための本発明の温度検出手段としての温度センサ１２と、制御盤１３とを備える。冷媒加熱装置１０の下流側において帰還配管９には、第２開閉弁１４が設けられる。第２開閉弁１４は、帰還配管９における液冷媒の流れを必要に応じて遮断するために使用される。この実施形態で、第２圧力計１１は、ヘッター圧力が所定の設定圧力（この実施形態では「０.５ＭＰａ」に設定される。）以下になると、ヘッター圧力警報信号を制御盤１３へ送るようになっている。温度センサ１２は、検出する容器温度を制御盤１３へ送るようになっている。制御盤１３は、入力するヘッター圧力警報信号及び容器温度に基づいて冷媒加熱装置１０を制御するようになっている。制御盤１３は、本発明の制御手段に相当する。
【００２９】
図２に帰還配管９における冷媒加熱装置１０の構成等を詳しく示す。冷媒加熱装置１０は、ヒータ１５と、そのヒータ１５の下流側にて帰還配管９に設けられる減圧弁１６とを含む。ヒータ１５は、帰還配管９を流れる液冷媒を加熱するための本発明の加熱手段に相当する。ヒータ１５は、帰還配管９に巻き付けられる電熱線１５ａを含む。図３にヒータ１５の外観を正面図により示す。図３に示すように、ヒータ１５は、電熱線１５ａを内蔵するカバー１７と、帰還配管９に接続されるチューブ１８と、そのチューブ１８の両端に設けられるコネクタ１９，２０とを含む。カバー１７の内部において、チューブ１８には電熱線１５ａが巻き付けられる。一方、減圧弁１６は、ヒータ１５で加熱されて気化したガス冷媒の圧力を低減させるためのものである。ヒータ１５はサーモスタットを内蔵し、一旦オンされるとサーモスタットにより４０℃以下の加熱温度に保たれるようになっている。この実施形態で、減圧弁１６の設定圧力は、「約０.９ＭＰａ」となっている。図２に示すように、この実施形態では、圧送ポンプ２より「約２.０ＭＰａ」の液冷媒が帰還配管９を通じてヒータ１５に流れ、液冷媒が気化することにより「約２.０ＭＰａ」のガス冷媒となる。その後、そのガス冷媒は、減圧弁１６を通ることにより、冷媒容器１の圧力である「０.７〜０.８ＭＰａ」まで圧力が低下するようになっている。
【００３０】
図４に制御盤１３が実行するヒータ１５の動作を線図により示す。制御盤１３は、冷媒供給装置の起動後、ヘッター圧力警報信号が「オン」すると、ヒータ１５の電源を「オン」する。その後、制御盤１３は、温度センサ１２からの容器温度の信号が「６℃」になると、ヒータ１５の電源を「オフ」する。ヒータ１５の電源を「オン」してから「オフ」するまでの間で、ヒータ１５は温調器によりオンとオフを繰り返す。
【００３１】
図５（ａ）〜（ｄ）に、ヒータ１５の制御に関わる各種パラメータ挙動の一例をタイムチャートに示す。図５（ａ）はヘッター圧力の挙動を、図５（ｂ）はヘッター圧力警報信号の挙動を、図５（ｃ）はヒータ電源の挙動を、図５（ｄ）は環境温度に相当する容器温度の挙動をそれぞれ示す。図５から明らかなように、環境温度の低下に伴い容器温度が低下すると、ヘッター圧力が低下する。そして、ヘッター圧力が設定圧力である「０.５ＭＰａ」まで低下すると、ヘッター圧力警報信号が「オン」となり、ヒータ電源が「オン」となる。その後、ヒータ１５はサーモスタットにより４０℃以下の温度に保たれる。これにより、帰還配管９を流れる液冷媒が加熱されて気化し、帰還配管９を通じてガス冷媒が冷媒容器１に流れ込み、冷媒容器１の内圧が適正に保たれる。このとき、ヘッター圧力は減圧弁１６の設定圧力である「約０.９ＭＰａ」付近まで上昇する。その後、容器温度が「６℃」になると、ヒータ電源が「オフ」となり、ヘッター圧力は「０.５ＭＰａ」を上回る許容温度以上となる。ここで、容器温度は、環境温度の変化、すなわち季節変化に伴い変わることから、図５（ｄ）に示すように、冬場に「６℃」を下回り、春になって「６℃」を上回る。従って、ヒータ１５は、冬場に入ると電源が「オン」となり、容器温度が「６℃」になるまで電源が「オン」のままとなる。
【００３２】
以上説明したこの実施形態の冷媒供給装置によれば、冷媒供給装置が起動して圧送ポンプ２が動作することにより、冷媒容器１の中の液冷媒が汲み上げられて圧送され、供給配管３及び計量・注入機４を通じて製品５に供給され、液冷媒が製品５に充填される。
【００３３】
ここで、圧送ポンプ２の下流側では、供給配管３を流れる液冷媒の一部が帰還配管９に流れて冷媒容器１へ戻される。また、圧送ポンプ２の上流側では、供給配管３の中の冷媒圧力、すなわちヘッター圧力が第２圧力計１１により計測され、冷媒容器１の温度（容器温度）が温度センサ１２により検出される。このとき、計測されるヘッター圧力に基づき制御盤１３がヒータ１５をオンさせることにより、帰還配管９を流れる液冷媒が加熱されて気化する。また、ヒータ１５の下流側では、気化したガス冷媒が減圧弁１６により減圧される。従って、冷媒容器１には、減圧されたガス冷媒が戻され、汲み上げにより液冷媒の容積が減った分だけ冷媒容器１の中がガス冷媒により充足される。このため、必要性に応じて、すなわちヘッター圧力が「０.５ＭＰａ」以下となったときに、ガス冷媒を確実に冷媒容器１へ供給することができ、製品５に対する液冷媒の供給動作を保障することができる。一方、検出される容器温度に基づき制御盤１３がヒータ１５をオフさせることにより、帰還配管９を流れる液冷媒の加熱が停止し、液冷媒がそのまま冷媒容器１に戻される。従って、容器温度が十分に高いときは、冷媒容器１の中のガス冷媒が必要以上に増えることがない。このため、容器温度が「６℃」以上となったときに、冷媒容器１に対するガス冷媒の供給を確実に停止することができ、冷媒容器１の中の過剰な圧力上昇を抑えることができる。このように、ヘッター圧力と容器温度に基づいてヒータ１５を無駄なく動作させることができる。
【００３４】
この実施形態では、冷媒容器１をガス冷媒で充足させるために、帰還配管９にヒータ１５と減圧弁１６を設けるだけなので、従来例のように冷媒容器３１を大掛かりな設備で加熱する場合に比べて構成が簡略化される。更に、構成が簡略化する分だけ加熱損失が少なくなる。このため、冷媒容器１の中をガス冷媒で充足させるための構成を比較的コンパクトなものにすることができ、液冷媒の加熱効率を向上させることができる。そして、戻し冷媒を加熱することによって冷媒容器３１内のガス圧を上げ、冬場などの気温が低いときでも冷媒の汲み上げが早くできる。
【００３５】
また、この実施形態では、帰還配管９、ヒータ１５及び減圧弁１６の構成が冷媒容器１とは別に設けられ、帰還配管９を冷媒容器１から外すことも容易である。このため、冷媒容器１が交換式の場合であっても、冷媒容器１の交換作業を容易なものにすることができる。
【００３６】
尚、この発明は前記実施形態に限定されるものではなく、発明の趣旨を逸脱することのない範囲で、構成の一部を適宜に変更して以下のように実施することもできる。
【００３７】
（１）前記実施形態では、帰還配管９に設けられる加熱手段として電気式のヒータ１５を設けたが、ヒータ１５の代わりに熱交換器を帰還配管に設け、その熱交換器に熱流体をポンプなどにより循環させるように構成してもよい。
【００３８】
（２）前記実施形態の冷媒供給装置では、ヒータ１５の動作を制御するために、制御盤１３と、第２圧力計１１及び温度センサ１２を設けたが、その構成から温度センサ１２を省略して冷媒供給装置を構成することもできる。この場合、制御盤１３は、第２圧力計１１からのヘッター圧力警報信号を受けてヒータ１５をオンさせることができる。それに付随し、必要性に応じて、すなわちヘッター圧力が「０.５ＭＰａ」以下となったときに、ガス冷媒を確実に冷媒容器１へ供給することができ、製品５に対する液冷媒の供給動作を保障することもできる。また、冷媒容器１の中をガス冷媒で充足させるための構成を比較的コンパクトなものにすることができ、液冷媒の加熱効率を向上させることができる。
【００３９】
（３）前記実施形態の冷媒供給装置では、ヒータ１５の動作を制御するために、制御盤１３と、第２圧力計１１及び温度センサ１２を設けたが、これらの構成を省略することもできる。この場合、必要に応じて作業者がヒータ１５をオンさせることができる。それに付随し、必要性に応じてガス冷媒を確実に冷媒容器１へ供給することができ、製品５に対する液冷媒の供給動作を保障することができる。また、冷媒容器１の中をガス冷媒で充足させるための構成を比較的コンパクトなものにすることができ、液冷媒の加熱効率を向上させることができる。
【図面の簡単な説明】
【００４０】
【図１】冷媒供給装置を示す概略構成図。
【図２】冷媒加熱装置の構成等を詳細図。
【図３】ヒータの外観を示す正面図。
【図４】ヒータの動作を示す線図。
【図５】ヒータ制御に関わる各種パラメータの挙動を示すタイムチャート。
【図６】従来例の冷媒容器の説明図。
【図７】従来例の冷媒容器の加熱手段を示す説明図。
【図８】従来例の冷媒容器の加熱手段を示す説明図。
【符号の説明】
【００４１】
１    冷媒容器
２    圧送ポンプ
３    供給配管
５    製品（消費設備）
９    帰還配管
１１    第２圧力計（圧力検出手段）
１２    温度センサ（温度検出手段）
１３    制御盤（制御手段）
１５    ヒータ（加熱手段）
１６    減圧弁
【図１】
2005337510.tif 000003
【図２】
2005337510.tif 000004
【図３】
2005337510.tif 000005
【図４】
2005337510.tif 000006
【図５】
2005337510.tif 000007
【図６】
2005337510.tif 000008
【図７】
2005337510.tif 000009
【図８】
2005337510.tif 000010